(57)【要約】      （修正有）【課題】高ワット数ＬＥＤ照明装置の高熱対策として、分離型組合せ照明構造設計を有するオリジナルなＬＥＤスポットライト構造を提供する。【解決手段】前ライト１と後ライト２の二つが備わり、前ライト内には、高ワット数ＬＥＤ電球、後ライト内には始動器、その外周面に始動器と電気的に接続する制御スイッチ２５、及び逆Ｕ字形の可動フレーム２６が設けられており、該始動器は、ワイヤ１３が前ライトにプリセットされた通し穴１２を通って、ＬＥＤ電球と電気的に接続しており、それと同時に、該通し穴内がゴム材料に充填され、収縮チューブにも被覆されているため、ＬＥＤ電球の動作時に生じられた高い熱エネルギーが前ライトに遮断され、該高い熱エネルギーが直接に始動器に衝撃を与え、損害を及ぼすことを徹底的に防止できる。また、前、後ライトを結合したところに防水リング２７を設置することにより、良好な防水効果がある。【選択図】図２
0003173610.tif 000002
【実用新案登録請求の範囲】
【請求項１】
椀形状で、中に高ワット数のＬＥＤ電球が設けられた前ライトが備わり、前ライトの底面の周囲には、ネジが通る複数の係合穴、中央部にはワイヤが通って電球と接続するための通し穴が設けられ、また、該通し穴内には、ゴム材料が充填され、それに、収縮チューブが該通し穴とワイヤの外周を完全に被覆するように設けられており、そのうえ、
カップ形状で、片側の開口部が前ライトに対応するように設けられ、そして周縁フランジを設置された後ライトが備わり、該周縁フランジの上には該係合穴に対応する複数の貫通穴、後ライト内には該ワイヤと電気的に接続する始動器が設けられ、それに、片側の閉口部に穴を開け、そこを電源線が通って、外部からの電力供給源と接続するようになるが、そのうえ、周面には、内部の始動器と電気的に接続する制御スイッチ、及び両側自由端がそれぞれナット付ボルトで締め付けられ、旋回角度の調整が可能で、ライト照射角度を調整できる逆Ｕ字形の可動フレームが設けられていることを特徴とするＬＥＤスポットライト構造の改良。
【請求項２】
高ワット数のＬＥＤ電球は、単一または複数のＬＥＤが設置されていることを特徴とする請求項１に記載のＬＥＤスポットライト構造の改良。
【請求項３】
前ライトと後ライトは金属材料、例えば、アルミニウム、アルミニウム合金などで一体成形されてなることを特徴とする請求項１に記載のＬＥＤスポットライト構造の改良。
【請求項４】
後ライトの開口部と前ライトの底面を結合したところには更に防水リングが設けられ、それにより、結合後にも絶好な防水效果を持たせるように設けられていることを特徴とする請求項１に記載のＬＥＤスポットライト構造の改良。
【考案の詳細な説明】
【技術分野】
【０００１】
本考案は、高ワット数ＬＥＤ照明装置の高熱対策として、分離型組合せ照明構造設計を有するオリジナルなＬＥＤスポットライト構造の改良を提供する。
【背景技術】
【０００２】
現在、市場に出回っている高ワットまたは高出力ＬＥＤライトは、まず、“熱”対策の問題に直面しており、多くの業者が様々な放熱措置や手段を講じて行っているが、放熱材の増設、または直接に穴を開けて、空気の対流を促進させるというやり方に止まっている。
【０００３】
放熱構造や放熱材の増設は、照明装置全体に対して、重量が増え、構造が複雑になり、製造コストも高くなるから、経済的なやり方ではなく、また、直接に穴を開けて、空気の対流を促進させるというやり方は、製品の加工時間が増え、手間隙もかかり、コストも下げられず、それに、専門機械装置で行う場合は資金の増加になり、手作業で行う場合は、安定した品質を保たない恐れがあり、製造コストの増加、組立作業の不便にもなるということで、そこに存在する不十分なところを更に克服、改善する必要がある。
【０００４】
従来の高ワットまたは高出力ＬＥＤに存在している放熱問題、及び一般のスポットライトの構造調整に存在している不十分な点を鑑みて、本考案の発明者は、新しい工夫を凝らし、実用性のある本考案“ＬＥＤスポットライト構造の改良”を開発、業者や社会の人々に役立つよう願っている。
【考案の開示】
【考案が解決しようとする課題】
【０００５】
本考案は、高ワット数ＬＥＤライトの高い熱エネルギー対策として、工夫を凝らし、ライトを前ライトと後ライトの二つからなる組合せ構造を作り、前ライト内の高ワット数ＬＥＤ電球から生じた高い熱が自然に遮断され、後ライト内の始動器への損害を防げ、必要とされる放熱効果を達成させ、使用寿命を有効に延ばすためのＬＥＤスポットライト構造の改良を提供することを目的とする。
【０００６】
本考案は、分離可能な前、後ライトを結合したところに防水リングを設置することにより、屋外用にも良好な防水性を持つ実用的効果のあるＬＥＤスポットライト構造の改良を提供することをもう一つの目的とする。
【課題を解決するための手段】
【０００７】
上述した構造と技術内容の目的を達成させるため、ライトが二つに分けられ、
椀形状で、中に高ワット数のＬＥＤ電球が設けられた前ライトが備わり、前ライトの底面の周囲には、ネジが通る複数の係合穴。中央部にワイヤが通って電球と接続するための通し穴が設けられ、また、該通し穴内には、また、該通し穴内には、ゴム材料が充填され、それに、収縮チューブが該通し穴とワイヤの外周を完全に被覆するように設けられており、そのうえ、
カップ形状で、片側の開口部が前ライトに対応するように設けられ、そして周縁フランジを設置された後ライトが備わり、該周縁フランジの上には該係合穴に対応する複数の貫通穴が設けられ、そこをネジが通り、ネジ締め付け後、前、後ライトが一体化するが、該後ライト内には該ワイヤと電気的に接続する始動器が設けられ、それに、片側の閉口部に穴を開け、そこを電源線が通って、外部からの電力供給源と接続するようになるが、そのうえ、周面には、内部の始動器と電気的に接続する制御スイッチ、及び両側自由端がそれぞれナット付ボルトで締め付けられ、旋回角度の調整が可能で、ライト照射角度を調整できる逆Ｕ字形の可動フレームが設けられており、後ライトの開口部と前ライトの底面を結合したところには更に防水リングが設けられ、それにより、結合後にも絶好な防水效果を持たせるように設けられていることを特徴とするＬＥＤスポットライト構造の改良。
【０００８】
該高ワット数ＬＥＤ電球は、単一または複数のＬＥＤが設置、一体化するように設けられている。
【０００９】
該前、後ライトはどれも、金属材料、例えば、アルミニウム、アルミニウム合金などで一体成形されてなり、放熱効果を持っている。
本考案による効果向上は、高ワット数のＬＥＤ電球を使用しているときにも、高い熱エネルギーが有効に遮断され、高い熱エネルギーによる内部の始動器への損害を防げ、実際の使用寿命が延び、ＬＥＤスポットライトを屋外に使用しても、該組合せライトが雨に浸入されないことを確保できることにある。
【００１０】
本考案の目的、効果と構造の特徴についてより詳しく理解させるため、図面を合わせて、本考案の好適な実施例を例として挙げ、次のように詳しく説明する。
【図面の簡単な説明】
【００１１】
【図１】本考案のＬＥＤスポットライトの外観図。
【図２】本考案のＬＥＤスポットライトの分解図。
【図３】本考案のＬＥＤスポットライトの局所構造断面図。
【図４】本考案のＬＥＤスポットライトの断熱図イメージ。
【考案を実施するための形態】
【００１２】
図１〜図３に示すのは、好適な実施例のＬＥＤスポットライト構造の改良に関する外観図、分解図と局所構造断面図である。
【００１３】
椀形状で、金属材料、例えばアルミニウム、アルミニウム合金などで一体成形され、放熱効果を持つ前ライト（１）が備わり、該前ライト（１）内には複数のＬＥＤ電球（未図示）が設置され、それにより、高ワット数の形態が構成されるが、また、該前ライト（１）の底面の周囲には、ネジが通る複数の係合穴（１１）、中央部には、ワイヤ（１３）が通って電球と接続するための通し穴（１２）が設けられており、それに、該通し穴（１２）内には、ゴム材料（１２１）が充填され、収縮チューブ（１２２）が該通し穴（１２）とワイヤ（１３）の外周を完全に被覆するように設けられており、
カップ形状で、同じく金属材料、例えばアルミニウム、アルミニウム合金などで一体成形され、放熱効果を持つもので、片側の開口部が前ライト（１）に対応するように設けられ、そして周縁フランジ（２１）を設置された後ライト（２）が備わり、該周縁フランジ（２１）の上には、該係合穴（１１）に対応する複数の貫通穴（２２）が設けられ、それにより、そこをネジが通り、ネジ締め付けの後、前、後ライト（１、２）が結合、一体化するが、該後ライト（２）内には、該ワイヤ（１３）と電気的に接続する始動器（未図示）が設けられ、  それに、片側の閉口部に穴（２３）を開け、そこを電源線（２４）が通って、外部からの電力供給源と接続することになり、そのうえ、周面には、内部の始動器と電気的に接続する制御スイッチ（２５）、及び  両側自由端がそれぞれナット付ボルト（２６１）で締め付けられ、旋回角度の調整が可能で、ライト照射角度を調整できる逆Ｕ字形の可動フレーム（２６）が設けられており、該後ライト（２）の開口部と前ライト（１）の底面を結合したところには更に防水リング（２７）が設けられ、結合後にも絶好な防水效果を持たせるように設けられていることを特徴とするＬＥＤスポットライトである。
【００１４】
本考案のＬＥＤスポットライトは実施の際、主に屋外に取り付けられ、高輝度のスポットライトを提供するものであり、可動フレーム（２６）の固定端を決まった位置に締め付けると、組立が快速に完了するが、使用のとき、外部からの電力供給源に接続し、電気が接続できる状態で、制御スイッチ（２５）をオンにし、電球が点灯するが、その後、使用者の使用ニーズに応じて、可動フレーム（２６）両端のナット付ボルト（２６１）を緩めることにより、照射角度の調整、変化が可能になる。
【００１５】
また図４に示すように、ＬＥＤスポットライトが正常に動作しているとき、前ライト（１）内に複数のＬＥＤ電球が設置される高ワット数の発光形態であるため、スポットライトを十分に投射する効果があるが、それに伴い、かなり高い熱エネルギーが生じられるが、その熱は、ゴム材料（１２１）で充填された前、後ライト（１、２）間をつなぐ通し穴（１２）に遮断され、収縮チューブ（１２２）も被覆され、該高い熱エネルギーが後ライト（２）内の始動器に衝撃を与えなくてすむので、始動器が長時間正常に動作することを確保され、ＬＥＤスポットライトの使用壽命向上にもつながる。
【００１６】
また、本考案のＬＥＤスポットライトは、高ワット数の形態に設けられ、屋外に適用するものであり、しかし、屋外では、風や雨に遭われたりするので、そこで、前ライト（１）と後ライト（２）の間に防水リング（２７）を設けて、良好な防水效果を果たし、水が後ライト（２）内へ侵入することを有効に防げる。
【００１７】
該構造特徴、技術内容と操作使用時に関する詳しい説明から、  本考案の設計特色と長所がよく理解できると思われるが、本考案全体の構造設計は確かに、従来のものよりよく出来、より使いやすくなるものであり、そして、このような進歩性、実用性のある設計はそれと同じものまたは類似したものが市場に出回っていないということで、実用新案登録請求の用件に一致することから、法律の規定により実用新案登録出願を行うわけである。
【００１８】
ただし、上述したのは、本考案の好適な実施例のみについて説明してきた内容であり、本考案の明細書や実用新案登録請求範囲に基づき、それらの構造を改造して、それと同等な効果を得たとしても、すべて本考案の実用新案登録請求範囲に含まれるものとする。
【符号の説明】
【００１９】
前ライト（１）
係合穴（１１）
通し穴（１２）
ゴム材料（１２１）
収縮チューブ（１２２）
ワイヤ（１３）
後ライト（２）
周縁フランジ（２１）
貫通穴（２２）
穴（２３）
電源線（２４）
制御スイッチ（２５）
可動フレーム（２６）
ナット付ボルト（２６１）
防水リング（２７）
【図１】
0003173610.tif 000003
【図２】
0003173610.tif 000004
【図３】
0003173610.tif 000005
【図４】
0003173610.tif 000006